Podtech/llm-jp-corpus-v4-ja_patent huggingface dataset:
(57)【要約】      （修正有）【課題】蒸気殺菌庫内の蒸気加圧部を、蒸気の高圧に耐えられる構造体とする、食品類の蒸気殺菌庫の提供。【解決手段】蒸気加圧部の蒸気管を竪管７、９と、横管６、１０と、に適宜間隔を存しさせて格子状に接合した一対の蒸気管体を左右に配備し、左右間隔をフィンチューブ８で接合することで、蒸気加圧部を全て配管で一体化に形成する、食品類の蒸気殺菌庫。【選択図】図１
2019216696.tif 000002
【特許請求の範囲】
【請求項１】
蒸気加圧部の蒸気管を竪管と、横管と、に適宜間隔を存しさせて格子状に接合した一対の蒸気管体を左右に配備し、左右間隔をフィンチューブで接合することで、蒸気加圧部を全て配管で一体化に形成することを特徴とする食品類の蒸気殺菌庫。
【発明の詳細な説明】
【発明の詳細な説明】
【産業上の利用分野】
【０００１】  本発明は、包装食品等の、醗酵菌およびカビ菌を殺菌することにより、日持ちさせるための食品類の蒸気殺菌庫に関する。
【背景技術】
【０００２】  従来の蒸気殺菌庫の蒸気加圧部は、溶接接合で形成された箱型容器を左右に配備し、間隔をフィンチューブで溶接接合して一体化として形成されたものが用いられている。
このような蒸気殺菌庫としては、例えば、図３と、図３の側面図４に示されるようなものが提案されている。
この蒸気殺菌庫の蒸気加圧部は蒸気入口ノズル１と、蒸気を、複数のフィンチューブ４に配分するための箱型容器２ａと、蒸気ドレンを排出するための箱型容器２ｂと、ドレン出口ノズル５によって構成されている。
また、箱型容器２ａ、２ｂと蓋３ａ、３ｂは、全周を溶接にて接合されている。
【発明が解決しようとする課題】
【０００３】  食品類を殺菌する場合、蒸気加圧部に蒸気を加圧することで昇温し、殺菌庫内を一定の高温に保持することで殺菌する。しかしながら、蒸気殺菌庫へ、殺菌前の食品類を入れたり、殺菌後の食品類を出したりする作業を頻繁におこなう必要があり、その都度、蒸気の加圧、減圧の繰り返し応力がかかる。
しかしながら、上記の従来型蒸気殺菌庫にあっては、蒸気発熱部の箱型容器には加圧、減圧の繰り返し応力がかかり、容器が膨張、収縮を繰り返すことにより、溶接接合部に亀裂が入り、蒸気漏れが発生するという問題点があった。
更に、蒸気洩れを回避するために、蒸気圧を低圧に設定して使用するため、庫内の昇温時間が長くなることで、食品類の殺菌時間も長くなり、運転効率に劣るという問題点があった。
【０００４】  本発明は上記問題点に鑑みてなされたもので、蒸気加圧部に加圧、減圧の繰り返し応力がかかっても耐えられる構造体の蒸気殺菌庫を提供することを目的とする。
【課題を解決するための手段】
【０００５】  上記目的を達成すべく請求項１の食品類の蒸気殺菌庫は、蒸気加圧部の蒸気管を竪管と、横管と、に適宜間隔を存しさせて格子状に接合した一対の蒸気管体と、左右間隔をフィンチューブで接合することで、蒸気加圧部を全て配管で一体化に形成させている。
【作用】
【０００６】  請求項１によれば、蒸気加圧部の蒸気管を竪管と、横管と、に適宜間隔を存しさせて格子状に接合した一対の蒸気管体を左右に配備し、左右間隔をフィンチューブで接合することで、蒸気加圧部を全て配管で一体化に形成することにより、蒸気の高圧に耐えられる構造体にすることができる。
【実施例】
【０００７】  以下、図１乃至図２を参照して本発明の一実施例に係る食品類の蒸気殺菌庫について説明する。
図１に示されるように、本発明に係る蒸気殺菌庫は、脚部１ａと、脚部１ｂ上に立設された本体２を備えている。本体２の外装は、２重構造となっていて隙間に断熱材３が充填されている。そして本体２の内部には、蒸気加圧部が装着されていて、取付金具１２ａ、１２ｂにて本体２の底板４に固着されている。【０００８】  蒸気加圧部の蒸気供給側は、蒸気横管６と、複数の蒸気竪管７で構成されている。また蒸気ドレン排出側は、複数の蒸気竪管９と、蒸気ドレン横管１０で構成されている。さらに蒸気竪管７と、蒸気竪管９の間隔には、複数のフィンチューブ８を、水平に配列し、複数の棚段状に構成されている。【０００９】  蒸気供給側の蒸気横管６と、蒸気竪管７と、フィンチューブ８と、蒸気ドレン排出側の蒸気竪管９と、蒸気ドレン横管１０の配管は、全て溶接接合されている。【００１０】  次に、蒸気の流れについて説明する。
蒸気は供給ノズル５から入り、蒸気横管６と、複数の蒸気竪管７を通り、複数の棚段状に配列されたフィンチューブ８を通り、複数の蒸気竪管９と、蒸気ドレン横管１０を通り、蒸気ドレンとなって、ドレン排出ノズル１１から排出される。【００１１】  次に、食品類を蒸気殺菌庫に出し入れするための装備について説明する。
蒸気殺菌庫本体２の正面に、開閉扉１５を設けてある。本体２と、開閉扉１５の合わせ面には、蒸気漏れを防ぐための耐熱性シールパッキン１４が本体２に接着されている。
食品類１７は、パンチング穴付のトレー１６上に並べて置かれ、トレー１６はＬ型に折り曲げた複数のスライド板１３ａ、１３ｂに載せ、奥まで滑らせて任意の位置に設置する。前記複数のスライド板は、適宜間隔を存しさせて、蒸気竪管７，９に固着されている。
【発明の効果】
【００１２】  本発明によれば、蒸気加圧部は、横管と、複数の竪管と、複数のフィンチューブを溶接接合することで、蒸気加圧部の全てを、配管の組み合わせにより、一体化として形成したので、蒸気の高圧に耐えられる、強度のある構造体にすることができる。
【図面の簡単な説明】
【図１】  本発明の一実施例を示す食品類の蒸気殺菌庫の平面説明図である。
【図２】  図１のＩＩ−ＩＩ線断面説明図である。
【図３】  従来の蒸気殺菌庫を示す平面説明図である。
【図４】  図３のＩＩＩ−ＩＩＩ線側面説明図である。
【符号の説明】  １…脚部、  ２…本体、  ３…断熱材、  ４…底板、  ５…供給ノズル、  ６…蒸気横管、  ７…蒸気竪管、  ８…フィンチューブ、  ９…蒸気竪管、  １０…蒸気ドレン横管１０、  １１…ドレン排出ノズル、  １２…取付け金具、  １３…スライド板、
１４…シールパッキン、  １５…開閉扉、  １６…トレー、  １７…食品類、
【図１】
2019216696.tif 000003
【図２】
2019216696.tif 000004
【図３】
2019216696.tif 000005
【図４】
2019216696.tif 000006
(57)【要約】【課題】多大なメリットのある閉鎖型循環濾過方式による飼育を、難しいとされる鰻においても難無く実施できるような独特の設置用具を提供すること。【解決手段】鰻の飼育水槽１の底部にある排水口２の上部に設ける濾過蓋状設置具において、断面が略逆三角形ないし逆台形状で上辺が水平かつ両側辺が上広がりテーパとなる直棒体３ａを、多数平行にかつ上面高さを揃えて、シラス通過を妨げる隙間を隔てて縞状に配設して、鰻飼育水槽におけるスクリーン状の排水口用設置具３とする。更にその排水口用設置具３の上に所定間隔を隔てて遮光板４をセットしたものとする。【選択図】図２
2019216699.tif 000002
【特許請求の範囲】
【請求項１】
鰻飼育水槽底部排水口の上部に設ける濾過蓋状設置具において、断面が略逆三角形ないし逆台形状で、上辺が水平かつ両側辺が上広がりテーパとなる直棒体を多数、平行にかつ上面高さを揃えつつシラス通過を妨げる隙間を隔てて縞状に配設して成ることを特徴とする鰻飼育水槽における排水口用設置具。
【請求項２】
所定間隔を隔てた上方に遮光板が設けられた請求項１記載の鰻飼育水槽における排水口用設置具。
【発明の詳細な説明】
【技術分野】
【０００１】この発明は、循環濾過方式による鰻飼育水槽の排水口に取り付けられる設置具に関する。
【背景技術】
【０００２】従来より魚介類を人為的に飼育或いは養殖するにあたり、所定の飼育水槽を用い循環濾過方式という閉鎖型システムで行われることが知られている。【０００３】そのような閉鎖型循環濾過方式においては、広大な自然の好ましい生育環境を限られたスペースの水槽内で効率よく実現させていく必要があるが、その手段として例えば特許文献１にあるように、飼育水槽の外側に密接して浄化水槽群から成る水路を設け、浄化された水を再び飼育水槽内に戻す方式等が提案されている。
【特許文献１】特開２００５−２２４２１７号広報
【発明の開示】
【発明が解決しようとする課題】
【０００４】上記のような閉鎖型循環濾過方式の飼育方法が可能な魚介類は多岐にわたるが、その中でもニーズの多い鰻については、その特有の性質、習性、形状などから、実際にこれを実施するにあたっては排水口の目詰まり等の問題点も多く、未だこの方式で鰻の飼育が大々的に行われるには至っていない。【０００５】すなわち鰻を大きな水槽内で飼育するにあたり、先ず数ｃｍ長の稚魚（シラス）から始めて徐々に成長させるわけであるが、飼育水槽内の水は次第に排泄物等を含んで汚れていくから、これを底部に設けた排水口から排出し沈殿槽や浄化槽に移送して、新たに浄化された水を補充するシステムにする必要がある。【０００６】その際、排水口から鰻も流出してしまわないように、フィルター機能を有する荒目の網か格子のようなものを排水口に取り付けなくてはならないが、通常のものを用いても、すぐに汚れが付着・蓄積してきて目詰まりをおこしてしまう。またそれを除去・清掃する作業も大変な負担を強いるものであった。【０００７】本発明はかかる問題点を解決して、多大なメリットのある閉鎖型循環濾過方式による飼育を、難しいとされる鰻においても難無く実施できるような独特の設置用具を提供することを課題とする。
【課題を解決するための手段】
【０００８】本発明者は鰻の飼育水槽１の底部にある排水口２の上部に設ける濾過蓋状設置具において、その形態をどのようにすればこの課題を解決できるかを実際の鰻の飼育を通して何度も試行錯誤や実験を重ねた結果、断面が略逆三角形ないし逆台形状で上辺が水平かつ両側辺が上広がりテーパとなる直棒体３ａを、多数平行にかつ上面高さを揃えて、シラス通過を妨げる隙間を隔てて縞状に配設することにより、真に有用な鰻飼育水槽におけるスクリーン状の排水口用設置具３となり得ることを見出すことができた。【０００９】すなわちこのような排水口用設置具３を排水口２の上に取り付けると、飼育水槽１から排出される飼育水はシラスや排泄物等の浮遊物とともに当該設置具３の箇所に到達するが、そこはシラス通過のみを選択的に妨げる直縞状のフィルター形態となっているから、他の浮遊物は特別大形なものでない限り全て素通りする。【００１０】その際、通常は排泄物等の浮遊物の一部は必ずフィルター材料の側表面に付着してきて目詰まりを招来するものであるが、本発明においては上面が平滑で隙間部は下広がりで縦横の網目と異なり抵抗も少ないから、浮遊物が付着・蓄積して目詰まりを起こすことは決してないことが判明した。【００１１】さらに鰻は光の当たらない暗い所に潜り込む習性を利用し、上記の排水口用設置具３の上に所定間隔を隔てて遮光板４を柱５を介してセットしておくと、鰻はその下に侵入してきて、自らの腹部で当該フィルター状設置具３の上面を擦るように泳いでその箇所を清掃することが判明したので、この遮光板４を上方にセットした当該設置具３を第二発明とする。
【発明の効果】
【００１２】本発明によれば、従来より難しいとされていた閉鎖型循環濾過方式による鰻の飼育において、大きな障害となっていた排出口付近の汚れや目詰まりを清掃することなく防止することができるから、鰻の病気予防や効率的な飼育運営に大いに役立つという効果がある。
【発明を実施するための形態】
【００１３】先ず体長数ｃｍの最小シラスに対応するスクリーン状排水口用設置具３の具体例を述べる。上面幅２ｍｍで断面が略Ｖ字状を呈する長さ９００ｍｍのステンレス製直棒体３ａを３ｍｍ置きに、すなわち互いに１ｍｍの隙間を保ちつつ３００本、平行に並べてその周辺及び裏側に太さ３〜５ｍｍ程度のステンレス製補強固定棒３ｂを５０ｍｍ間隔で該直棒体３ａと直角に楔状に打ち込むようにして固定し、一辺約９００ｍｍの正方形状排水口用設置具３とする。
【００１４】より成長した鰻に対応するするスクリーン状排水口用設置具３としては、同等の直棒体３ａを用いて隙間間隔を２ｍｍにしたり、更に大型用として、上面幅３ｍｍの直棒体３ａを用いて隙間間隔を５ｍｍにしたものを用意する。但しいずれの場合も全体の寸法は同じ９００ｍｍ四方になるようにする。
【００１５】更にこのスクリーン状排水口用設置具３の四隅に柱を設けるなどしてその上方１００ｍｍの位置に同寸法形状のステンレス或いは濃色樹脂等から成る遮光板４を取り付けるものとする。なお本発明の寸法や形状はここで述べた例に限定されるものでないことは勿論である。
【産業上の利用可能性】
【００１６】本発明は使用感が良くて効果やニーズも多大であり、製造も現場適用も容易であるから、産業上の利用可能性は十分にある。
【図面の簡単な説明】
【００１７】
【図１】本発明一例の部分平面図
【図２】本発明一例の部分拡大断面図
【図３】本発明の使用形態を示す側面図
【符号の説明】
【００１８】  １……飼育水槽
２……排水口
３……排水口用設置具
３ａ……直棒体
３ｂ……補強固定棒
４……遮光板
５……柱
【図１】
2019216699.tif 000003
【図２】
2019216699.tif 000004
【図３】
2019216699.tif 000005
(57)【要約】【課題】  従来型のスマートフォン及びスマートフォンケースはシャツの胸ポケット、紳士服等の内ポケットからの不慮の落下等により、デバイスの破損はもちろんデータの復旧にも深刻なダメージを与えていた。【解決手段】  破損による深刻なダメージを回避するためにもスマートフォン及びスマートフォンケースに可動式クリップを装着して落下防止機能をもたせてアクシデントに備える。【選択図】図１
2019216479.tif 000002
【特許請求の範囲】
【請求項１】
破損による深刻なダメージを回避するためにもスマートフォン及びスマートフォンケースに可動式クリップ機能をもたせる。
【請求項２】
落下防止で胸ポケット等に可動式クリップを装着する外、クリップに紐を通しておしゃれに使うことも可能である。
【発明の詳細な説明】
【技術分野】
【０００１】  本発明は、従来型のスマートフォン及びスマートフォンケースはシャツの胸ポケット、紳士服等の内ポケットからの不慮の落下等により、デバイスの破損はもちろんデータの復旧にも深刻なダメージを与えていた。
【背景技術】
【０００２】  従来、クリップで留めるものは、生活上いろいろあるが、可動式のものはスマートフォンでは見受けられない。
【発明の概要】
【発明が解決しようとする課題】
【０００３】  可動式のクリップを開発し、小型及び中型等幅広い大きさのスマートフォン及びスマートフォンケースの不慮の落下防止に資するものである。
【課題を解決するための手段】
【０００４】  破損による深刻なダメージを回避するためにもスマートフォン及びスマートフォンケースに可動式クリップ機能をもたせ不慮の事故を防止するものである。
【発明の効果】
【０００５】  スマートフォン及びスマートフォンケースの不慮の落下よるスマートフォンの破壊を防ぐことができる。
【図面の簡単な説明】
【０００６】
【図１】  図はスマートフォン及びスマートフォンケースを表示している。落下防止でシャツの胸紳士服の内ポケット等にクリップを装着する外、クリップに紐を通しておしゃれに使うことも可能である。
【図２】  図はスマートフォン及びスマートフォンケースのクリップの構造を表示している
【発明を実施するための形態】
【０００７】  ある程度の大きさのスマートフォン及びスマートフォンケースを使うことが可能である。可動域があることによりいろいろなものに留めることができる。
【符号の説明】
【０００８】  スマートフォン等可動式クリップ
【図１】
2019216479.tif 000003
【図２】
2019216479.tif 000004
(57)【要約】【課題】ヘッドバンド側頭部に取り付けた振り子式ラインレーザー発振器のラインレーザー光を練習マットや練習グリーン上に投影し想定するパッティングラインとし、両眼瞳孔を結ぶ線がパッティングラインの鉛直上方にあることが確認できるパッティングアドレス矯正器を提供する。【解決手段】ヘッドバンド側頭部に振り子式のラインレーザー発信器を取り付けると鉛直下方にレーザーのラインが投影される。  このラインレーザー発振器の発光部と両眼の位置を一致させると想定するパッティングラインの鉛直上方に両眼を位置させることが出来る。  投影されたレーザーのラインをボール中心に合わせることにより正確なアドレスと同時にボールを打ち出す方向を示すこととなり、繰り返し練習することにより正確なアドレスとパッティングを習得することが出来る。【選択図】図１
2019216780.tif 000002
【特許請求の範囲】
【請求項１】
ヘッドバンドの側頭部付近の振り子装置に取り付けたラインレーザー発振器により両眼の鉛直下方の練習マットや練習グリーンに想定するパッティングラインを投影するパッティングアドレス矯正器。
【請求項２】
ヘッドバンドに代わり眼鏡やサングラスのフレームやテンプルにクリップでラインレーザー発振器の振り子装置を取り付ける方法とした請求項１のパッティングアドレス矯正器。
【発明の詳細な説明】
【技術分野】
【０００１】
ゴルフのパッティングにおけるボールの打ち出し方向のラインとプレーヤーの両眼を結ぶ線が合致していることと、ボールを打ち出すパッティングラインの鉛直上方に両眼があることが確認できるようラインレーザー発振器を利用したパッティングアドレス矯正器に関するものである。
【背景技術】
【０００２】
ゴルフパッティングにおいて想定するパッティングラインおよびボールの鉛直上方に両眼を位置することを可能にするため振り子装置を利用したラインレーザー発振器を側頭部にヘッドバンドで取り付け練習マットや練習グリーン上に想定するパッティングラインをレーザー光で投影する。
【先行技術文献】
【特許文献】
【０００３】
【特許文献１】特開平９−１５４９９５
【特許文献２】特開２００６−２５５３９０
【発明の概要】
【発明が解決しようとする課題】
【０００４】
ゴルフパターの練習器具にはレーザーを使用しパッティングラインを表示する器具が考案されている。  しかし、パッティングでアドレスする場合基本的に両眼は想定するパッティングラインやボールの真上に位置することが望ましいといわれているが、視覚や感覚によるものでありアドレスで両眼を正確に想定するパッティングラインやボールの真上に位置することが出来ない。
【課題を解決するための手段】
【０００５】
本考案は、バネ状のヘッドバンド（１）にラインレーザー発振器（４）を取り付けた振り子装置（２）を両眼瞳孔を結ぶ仮想線（５）と一致する側頭部付近に取り付け、ラインレーザー発振器（４）を振り子（３）の振り子軸（ｘ）によって鉛直に吊り下げる。  ラインレーザー発振器（４）より扇状に投影されるレーザーのライン（ａ−ｂ）を両眼の鉛直下方のゴルフボール（７）の中心と想定するパッティングライン（８）に合致させることでアドレスの姿勢が完成する。  ラインレーザー投光点（ｅ）は両眼瞳孔を結ぶ仮想線（５）と鉛直で一致する位置に位置調整ねじ（１１）で調整する。  さらに、投影されるレーザーのライン（ａ−ｂ）が両眼瞳孔を結ぶ仮想線（５）と平行になるように捩れ調整ねじ（１２）で捩れ調整軸（ｙ）を中心に回転させて調整する。  両眼をやや目標方向に向けたときの顔の傾きの調整は位置調整ねじ（１１）の顔傾き安定化軸（ｚ）で振り子中駒（１０）が自由回転し鉛直に保たれる。（図５）  ラインレーザー発振器（４）は振り子（３）にラインレーザー保持器（１４）とラインレーザー固定ねじ（１５）で取り付ける。  鉛直下方に投影するラインレーザーの投影範囲はライン投影範囲調整ねじ（１６）でラインレーザー発振器（４）の固定角度を調整してライン（ａ−ｂ）の投影位置を調整する。  また、ヘッドバンド（１）と振り子装置（２）は固定ピン（１３）で取り付けその固定圧力によってラインレーザー発振器（４）が真下に向くよう回転摺動させて調整する。  なお、本パッティングアドレス矯正器は右利き左利きどちらのプレーヤーでも左右反転して使用可能である。
【発明の効果】
【０００６】
パター練習においてアドレス時の両眼の中心を結ぶ仮想線（５）を正確に想定するパッティングライン（８）の鉛直上方に位置させることができ、通常のパッティング練習で従来の感覚的なアドレス姿勢を正確に矯正することができる。
【図面の簡単な説明】
【０００７】
【図１】実施例斜視図
【図２】実施例側面図
【図３】部分拡大正面図
【図４】部分拡大側面図
【図５】顔を約１５度傾けたときの説明図
【符号の説明】
【０００８】
１    ヘッドバンド
２    振り子装置
３    振り子
４    ラインレーザー発振器
５    両眼瞳孔を結ぶ仮想線
６    パタークラブ
７    ゴルフボール
８    想定するパッティングライン
９    カップ
１０  振り子中駒
１１  位置調整ねじ
１２  捩れ調整ねじ
１３  固定ピン
１４  ラインレーザー保持器
１５  ラインレーザー固定ねじ
１６  ライン投影範囲調整ねじ
ａ    ラインレーザー投影端点
ｂ    ラインレーザー投影端点
ｃ    右目鉛直下方点
ｄ    左目鉛直下方点
ｅ    ラインレーザー投光点
ｆ    ラインレーザー鉛直下方点
Ｒ    右目鉛直仮想線
Ｌ    左目鉛直仮想線
ｘ    振り子軸
ｙ    捩れ調整軸
ｚ    顔傾き安定化軸
【図１】
2019216780.tif 000003
【図２】
2019216780.tif 000004
【図３】
2019216780.tif 000005
【図４】
2019216780.tif 000006
【図５】
2019216780.tif 000007
(57)【要約】      （修正有）【課題】戸建住宅の屋根に設置されている太陽光パネルのメンテナンスを誰でも簡単にいつでもできるソーラーパネル清掃道具を提供する。【解決手段】伸縮式のロッドをアルミやカーボン繊維で作り、先端に回転ブラシを設置する。水道水と洗剤を噴霧し、洗浄力を上げる。屋根上の様子をライブカメラでスマートフォンに転送し、状況を確認しながら作業できるようにする。【選択図】図１
2019216779.tif 000002
【特許請求の範囲】
【請求項１】
一戸建てに設置されているソーラーパネルを手動で清掃できる道具。
【発明の詳細な説明】
【技術分野】
【０００１】
本発明は戸建住宅の屋根に設置されている太陽光発電パネルのメンテナンスを誰でも簡単にいつでも出来るようにしたものである。
【背景技術】
【０００２】
現時点で開発されているソーラーパネルメンテナンスシステムは、大掛かりな装置でありかつ金額も高額である。また基本的に地上に設置されているメガソーラー向けに作られており一般の戸建住宅には適用できない。
【先行技術文献】
【特許文献】
【０００３】
【特許文献１】特になし
【非特許文献】
【０００４】
【非特許文献１】特になし
【発明の概要】
【発明が解決しようとする課題】
【０００５】
太陽光発電パネルはメンテナンスが必要だということが最近になって重要視され始めてきた。
2017年4月に施工されたFIT改正法では、一般の戸建住宅ソーラーパネルにおいては4年ごとに清掃や点検をすることを義務として追加している。
ソーラーパネルは表面を強化ガラスで補強していることから、清掃などの必要はないと認識しているユーザーが大半である。
雨が降れば自然と綺麗に洗浄され、発電効率に影響は無いと考えている。
しかし、実際はそうではない。
鳥の糞、落ち葉、ゴミなどのほかに、砂埃、PM2.5などの微粒子や電柱の影が影響している事例も報告されている。
こういった事象が原因で発電効率が落ちることはもちろんの事、最悪の状況としてはモジュールパネルの破損につながり、多額な費用の発生が避けられない状態に発展する。
設置後3年経過すると急激に増えるデータも出ている。
国や地方自治体は、補助金を出す代わりにしっかりとメンテナンスをする義務を与えるだけで、その手段については明らかになっていない。
現在の状況としては、一般の戸建住宅において、多額の清掃費用がかかる為、清掃メンテナンスは行われていない現状がある。
清掃業者に依頼し、足場を組んで屋根に上り専用のモップで洗浄することが精一杯であり、費用は1回数万円かかる。
本来、メンテナンスの頻度は住環境によって大きく違うため、多い場合は年に数回必要な場合もある。
1回に数万円も掛けていては、減価償却どころではないことから、きちんと行っているケースはごく稀である。
定期的な清掃やメンテナンスをすることで、耐用年数が増え発電効率が上がることで発電所の負担が減り、様々な経済効果や地球環境の保全に協力できることになる。
そこで、誰でも簡単にいつでも屋根に上らず安全にしっかり洗浄できる道具の開発をするに至った。
【課題を解決するための手段】
【０００６】
安全確実に誰でも出来ることが必須である。
１：軽量
２：耐久性がある
３：シンプルな構造
４：洗浄力
５：屋根の状況がリアルタイムで把握できる
６：コンパクトに収納できる
【発明の効果】
【０００７】
本発明の道具は軽量かつ頑強に出来ているため、誰でも簡単に確実にいつでも好きな時に屋根上に設置されているソーラーパネルを清掃することができる。
【図面の簡単な説明】
【０００８】
【図１】伸縮機能を持つ折りたたみ式清掃ロッド。軽量かつ強固なつくりにより、女性でも庭先から行うことができ、先端の回転ブラシと洗浄水、手元のハンドル操作により屋根上のモップを前後に移動させ汚れを取り除く。地上からその状況を先端のカメラから手元のスマートフォンに映し、リアルタイムで確認しながら作業ができる。
【図２】女性でも安全簡単に作業できるようベストタイプのハーネスを着用。肩部に装着したスマートフォンフォルダーで屋根上の状況が手を使わず確認できる。
【図３】ジョイントダイアルを回転させ伸縮させる。ロッドはアルミ製で肉厚は２．５ミリにて強度確保。
【図４】アルミケースの中をスライドレールが移動する事で縦方向の動きが可能になると共に最短２ｍ、最長４ｍまで長さを調整できる。動力は手動とし、ゴムベルトがプーリーを介する事でダイレクトにシンプルな動きが可能。
【図５】回転式のブラシを並列に設置し、縦方向や横方向どちらの動きにも対応できるようにする。洗剤と洗浄水により動きをスムーズにし汚れを落とす。
【図６】専用のアプリをインストールし、wifiを利用して画像をリアルタイムに転送することで地上から屋根の様子が確認出来る。
【発明を実施するための形態】
【０００９】
１：地上から安全に女性でも作業できるようアルミやカーボン繊維などを利用し手動で出来るように工夫。
２：スライドするロッドを採用する事で小さく格納した状態から屋根頭頂部まで届く長さを確保。
３：軒先から屋根の勾配に合わせ角度が調整できる機構を採用。
４：ロッド先端には並列に取り付けられた回転ブラシがあり、小型モーターで一定の回転数を維持。これにより縦方向にも横方向にもロッドを移動しながら洗浄効率を上げられる。
５：地上から屋根の清掃状況がライブ映像で確認出来るＦＰＶシステムを採用。小型のＦＰＶカメラをＷＩＦＩ電波でスマートフォンに転送する。専用アプリをダウンロードし、スマートフォンで映像を確認する。専用のアダプターを使い、両手が使える状態でも映像の確認が出来るようにする。
６：電源は家庭用１００Ｖをトランスで変圧することでバッテリーは不要とし、いつでも使えるようにする。
７：屋根上で回転ブラシが縦方向にスライドできるように、アルミ製アングルをラバープーリーでスライドさせる。プーリーの回転はゴム製ベルトを操縦者の手元のハンドルで回転操作できるよう工夫。
８：家庭用の水道に本機を接続し先端の回転ブラシからスプレー式に洗浄水が出るように工夫。
９：洗剤は別系統で回転ブラシ付近に噴霧できるよう工夫。
１０：田尾旧制を上げるため、限りなくアナログでシンプルな構造とする。
１１：価格はセットで５万円以下とする。
【実施例】
【００１０】
特になし
【産業上の利用可能性】
【００１１】
現在戸建住宅の屋根に設置されているソーラーパネルを個人で清掃できる道具は存在しない。
このような道具の出現により、メンテナンスがより簡単になることで、ソーラーパネルの寿命が伸び、地球温暖化の防止に役立つ。
【符号の説明】
【００１２】
特になし
【図１】
2019216779.tif 000003
【図２】
2019216779.tif 000004
【図３】
2019216779.tif 000005
【図４】
2019216779.tif 000006
【図５】
2019216779.tif 000007
【図６】
2019216779.tif 000008
(57)【要約】【課題】ゴルフのパッティングにおいてパッティングラインとボールの鉛直上空に正確に両眼を位置してアドレスすることが出来るパッティング練習補助具を提供する。  さらに、本考案では使用するパッティングラインの鉛直上空に位置するガイドバーはボールを打ち出す方向の目安とすることが出来る。【解決手段】パッティングを練習する練習マットや練習グリーン上に支柱ベースと支柱に取り付けたガイドアームに捩れなくコの字形に曲げたガイドバーを掛けて吊り下げるとガイドバーの上辺と下辺は鉛直関係に位置する。  このガイドバーを想定するパッティングラインとボールの鉛直上空で重なるように見下ろすとアドレス時の両眼はパッティングラインとボールの鉛直上方に位置してアドレスすることが可能となる。  また、パッティングラインの鉛直上空にあるガイドバーはボールを打ち出す方向の目安とすることが出来る。【選択図】図１
2019216782.tif 000002
【特許請求の範囲】
【請求項１】
パッティングするボールと想定するパッティングラインの鉛直上空にパッティングラインと重なるように設置するコの字形に曲げたガイドバーを支柱アームに吊り下げ、そのガイドバーがボールを打ち出す方向を示すと同時に両眼をパッティングラインの鉛直上空に位置する基準となるパッティング練習補助具。
【請求項２】
コの字形のガイドバーに代わり二本のガイドバーを利用し、上部ガイドバーをアームに掛け下部ガイドバーを玉鎖や糸で吊り下げる方法とした請求項１のパッティング練習補助具。
【請求項３】
支柱ベースを使用せず支柱の下端を尖らせて練習グリーン面に突き刺し設置する方法とした請求項１および請求項２のパッティング練習補助具。
【発明の詳細な説明】
【技術分野】
【０００１】
ゴルフパターの練習補助具に関するものである。
【背景技術】
【０００２】
ゴルフのパッティング練習では目標に向かって正確にボールを打ち出す練習のために想定するパッティングラインを明示する方法としてラインレーザーによりマット上にレーザー光を投影したり、棒状のレールや方向指示板を利用する方法などがある。  パッティングにおいてはプレーヤーの両眼の位置はボールの真上に位置することが望ましいと言われているが全て感覚による練習となっている。  本発明は、吊り下げられたガイドバーの上辺と下辺が想定するパッティングラインとボール中心に対して上空から見下ろして完全に重なって見えるように構えると両眼をボールと想定するパッティングラインの鉛直上空に位置してアドレスすることが可能となる。
【先行技術文献】
【特許文献】
【０００３】
【特許文献１】特開平９−１５４９９５
【特許文献２】特開２０１４−１４６３６
【発明の概要】
【発明が解決しようとする課題】
【０００４】
パッティングのアドレスではボールと想定するパッティングラインの真上にプレーヤーの両眼を位置させることが望ましいといわれている。  しかし、多くのパッティング練習器具では感覚的な方法になっており正確に想定するパッティングラインとボール中心の鉛直上空に両眼を位置させてアドレスすることが出来ない。
【課題を解決するための手段】
【０００５】
図３、図４に示す練習補助具は、パッティングの練習マットや練習グリーン上で支柱ベース（１）に支柱（２）を差込み、アーム固定ナット（１０）でガイドバーアーム（３）を固定する。  捩れがなくコの字形に曲げたガイドバー（４）の上辺（ａ−ｂ）をガイドバーアーム（３）に掛けて吊り下げるとガイドバー（４）の下辺（ｃ−ｄ）は上辺（ａ−ｂ）の鉛直下方になる。  この上下のガイドバー（４）を上空から見下ろして両眼瞳孔を結ぶ仮想線（５）と両眼下方の鉛直仮想線（Ｒ）（Ｌ）の点（ｅ）（ｆ）が想定するパッティングライン（８）と完全に一致するように構えると両眼はゴルフボール（７）と想定するパッティングライン（８）の鉛直上方に位置することになる。  このようにアドレスをすると常に正確な眼の位置で繰り返し練習することが可能となる。  また、ガイドバー（４）はゴルフボール（７）を打ち出す方向の基準となる。
【０００６】
図５、図６の練習補助具は、コの字形ガイドバー（４）に代わり、二本の上ガイドバー（４Ｕ）と下ガイドバー（４Ｌ）を使用し、ガイドバーアーム（３）に上ガイドバー（４Ｕ）を掛けスプリットリング（１１）と玉鎖（１２）で下ガイドバー（４Ｌ）を上ガイドバー（４Ｕ）に吊り下げると二本のガイドバー（４Ｕ）（４Ｌ）は物理的に鉛直の位置関係になる。  これを上空から見下ろすことによって鉛直上空に両眼を位置することが可能である。  ガイドバーアーム（３）はかしめピン（１３）で支柱（２）に固定し、支柱（２）は支柱ベース（１）に差込んで取り付ける。
【発明の効果】
【０００７】
本考案のパッティング練習補助具は練習する練習マットや練習グリーン上で、支柱ベース（１）、支柱（２）およびガイドバーアーム（３）に吊り下げたガイドバー（４）により想定するパッティングライン（８）とプレーヤーの両眼が鉛直上空で完全に一致するように出来る。  また、ガイドバー（４）はゴルフボール（７）を打ち出す方向の基準とすることが出来る。  これは、従来の感覚的な練習から開放され正確なアドレスで練習を繰り返すことにより正確なパッティングを習得することが出来る。
【図面の簡単な説明】
【０００８】
【図１】実施例斜視図
【図２】実施例側面図
【図３】コの字形ガイドバー式練習補助具正面図
【図４】コの字形ガイドバー式練習補助具側面図
【図５】上下ガイドバー式練習補助具正面図
【図６】上下ガイドバー式練習補助具側面図
【符号の説明】
【０００９】
１    支柱ベース
２    支柱
３    ガイドバーアーム
４    ガイドバー
４Ｕ  上ガイドバー
４Ｌ  下ガイドバー
５    両眼瞳孔を結ぶ仮想線 
６    パタークラブ
７    ゴルフボール
８    想定するパッティングライン
９    カップ
１０  アーム固定ナット
１１  スプリットリング
１２  玉鎖
１３  かしめピン
Ｒ    右眼の鉛直仮想線
Ｌ    左眼の鉛直仮想線
ａ−ｂ  ガイドバー上辺
ｃ−ｄ  ガイドバー下辺
e    右眼鉛直下方点
ｆ    左眼鉛直下方点
【図１】
2019216782.tif 000003
【図２】
2019216782.tif 000004
【図３】
2019216782.tif 000005
【図４】
2019216782.tif 000006
【図５】
2019216782.tif 000007
【図６】
2019216782.tif 000008
(57)【要約】【課題】遠心分離条件を制御せずとも生産でき、効果の高い細胞組織の増加を促進するための注入液を提供すること。【解決手段】ＰＲＰ（多血小板血漿）１を生成し、人体から抽出したプラセンタ２、人体から抽出した脂肪組織３又はヒアルロン酸を、ＰＲＰ１に混合した注入液とする。プラセンタ２は、線維芽細胞増殖因子を含むことが好ましい。マクロファージが誘導され、線維芽細胞が遊走、増殖される。人間の肌の組織が増量されて、しわやたるみを解消することができる。白血球の量に依存しないので、遠心分離条件を緻密に制御せずとも生産することができる注入液である。【選択図】図１
2019151573.tif 000002
【特許請求の範囲】
【請求項１】
細胞組織の増加を促進するための注入液であって、
人体から抽出した多血小板血漿と、
人体から抽出したプラセンタ、人体から抽出した脂肪組織、ヒアルロン酸の少なくとも１つとを含むことを特徴とする注入液。
【請求項２】
細胞組織の増加を促進するための注入液であって、
人体から抽出した多血小板血漿と、人体から抽出したプラセンタと、人体から抽出した脂肪組織とを含むことを特徴とする、請求項１に記載の注入液。
【請求項３】
細胞組織の増加を促進するための注入液であって、
ヒアルロン酸をさらに含むことを特徴とする、請求項２に記載の注入液。
【請求項４】
前記人体から抽出したプラセンタは、人体から抽出した線維芽細胞増殖因子を含むことを特徴とする、請求項１〜３のいずれか１項に記載の注入液。
【発明の詳細な説明】
【技術分野】
【０００１】
本発明は、美容形成、形成外科、皮膚科その他肌の問題を取り扱う分野において、細胞組織の増加を促進するための注入液に関する。
【背景技術】
【０００２】
組織再生には、成長因子（Ｇｒｏｗｔｈ  Ｆａｃｔｏｒ：以下「ＧＦ」と表記することがある。）と呼ばれる、細胞の分化を実現することが可能なポリペプチド分子、または他の関連化学物質が大きく関与していることが知られている。成長因子としては、例えば、トランスフォーミング成長因子、神経成長因子などが知られている。
【０００３】
成長因子の多くは、血液成分中の血小板から放出されることが知られている。こうした背景から、創傷の治癒を促進するために多血小板血漿（Platelet Rich Plasma：以下「ＰＲＰ」ということがある。）を使用する療法がある。多血小板血漿（ＰＲＰ）とは、血小板が濃縮され豊富に含まれる血漿である。
【０００４】
多血小板血漿（ＰＲＰ）には、トランスフォーミング成長因子などの様々な成長因子（ＧＦ）が含有されていることが知られており、この治癒力を組織再生に活用すべく、種々研究が行われている。
【０００５】
このような、多血小板血漿（ＰＲＰ）が有する組織復元能に着目した技術が、例えば特許文献１〜３に開示されている。出願人は、美容形成の分野、特に皮膚、皮下、軟部組織の問題を改善する方法においてこれを活用するものとして、白血球を多量に含有する多血小板血漿が有効であることを、特許文献４に開示した。
【特許文献１】特開２００３−０５５２３７号公報
【特許文献２】特開２００６−１８１３６５号公報
【特許文献３】特開２００６−２３２８３４号公報
【特許文献４】特開２００９−２３５００４号公報
【発明の開示】
【発明が解決しようとする課題】
【０００６】
しかしながら、特許文献４のように、白血球を多量に含有するものは、その生産において遠心分離条件を制御する必要があり、生産困難なものであった。また、効果としても、必ずしも十分ではなかった。
【０００７】
本発明は、遠心分離条件を制御せずとも生産でき、効果の高い細胞組織の増加を促進するための注入液を提供することを課題とする。
【課題を解決するための手段】
【０００８】
成長因子としては、人体から抽出したプラセンタと、人体から抽出した脂肪組織と、ヒアルロン酸と、人体から抽出した線維芽細胞増殖因子とが有効であることが知られている。これらを活用して、注入液を提供する。
【０００９】
本発明の注入液は、
細胞組織の増加を促進するための注入液であって、
人体から抽出した多血小板血漿と、
人体から抽出したプラセンタ、人体から抽出した脂肪組織、ヒアルロン酸、人体から抽出した線維芽細胞増殖因子の少なくとも１つとを含むことを特徴とする。
【００１０】
本発明の注入液は、
細胞組織の増加を促進するための注入液であって、
人体から抽出した多血小板血漿と、人体から抽出したプラセンタと、人体から抽出した脂肪組織とを含むことを特徴とする。
【００１１】
本発明の注入液は、
細胞組織の増加を促進するための注入液であって、
ヒアルロン酸をさらに含むことを特徴とする。
【００１２】
本発明の注入液は、
細胞組織の増加を促進するための注入液であって、
人体から抽出した線維芽細胞増殖因子をさらに含むことを特徴とする。
【発明の効果】
【００１３】
本発明の注入液によれば、白血球の濃度を問題とせず、分離条件を制約せずに生成された多血小板血漿（ＰＲＰ）を用いた注入液が提供される。
【図面の簡単な説明】
【００１４】
【図１】図１は、注入液生成の手順を示す図である。
【発明を実施するための形態】
【００１５】
以下では、本発明の具体的な実施形態につき、説明する。
【００１６】
ＰＲＰの精製について説明する。遠心分離でＰＲＰを精製した。採血後遠心分離を行うことにより、比重差により所定の試験管内高さに定位するものである。遠心分離条件は一般的なＰＲＰ抽出手法である２６００回転６分とした。
【００１７】
特許文献４においては、白血球含有量を調整するために遠心分離条件を調整していたが、かかる調整は不要である。
【００１８】
人間の肌のしわやたるみに対して適用する場面につき言及する。しわやたるみに対してＰＲＰを用いる場合、単なるＰＲＰでは組織の増量は期待できず、マクロファージを誘導し線維芽細胞を遊走、増殖させる物質を添加することが重要である。
【００１９】
かかる物質として、人体から抽出したプラセンタ、人体から抽出した脂肪組織、ヒアルロン酸を用いる。
【００２０】
プラセンタの抽出は、胎盤からエキスを抽出して粉末化する通常の方法を用いることができる。
【００２１】
脂肪組織の抽出は、細胞から遠心分離で抽出する通常の方法を用いることができる。
【００２２】
プラセンタは、線維芽細胞増殖因子を含むことが好ましい。
【００２３】
図１は、注入液生成の手順を示す図である。まず、ＰＲＰ１を生成する。
【００２４】
プラセンタ２、脂肪組織３、の一方又は両方を人体から抽出する。
【００２５】
ＰＲＰ１に、プラセンタ２、脂肪組織３、ヒアルロン酸４の１つ又は２つ以上を混合して、注入液４を得る。
【００２６】
得られた注入液は、マクロファージが誘導され、組織の増量は期待される。
【符号の説明】
【００２７】
１      ＰＲＰ
２      プラセンタ
３      脂肪組織
４      ヒアルロン酸
５      注入液
【図１】
2019151573.tif 000003
(57)【要約】      （修正有）【課題】簡単操作で用紙の保護と携帯性を向上させるマグネットを用いた用紙ホルダーを提供する。【解決手段】開いたブックカバー状のホルダー内に、用紙を折り目を付けずに開いたままセットしてそのままホルダーを閉じることによって、マグネット内蔵の開閉バーの吸着力によって用紙を挟装固定し、同時にホルダー閉じ状態をロックして用紙を保護する。【選択図】図１
2019151086.tif 000002
【特許請求の範囲】
【請求項１】
マグネットの吸引力で、用紙を挟装固定。
【請求項２】
マグネットの吸引力で、ホルダー閉じ状態を保持。
【請求項３】
簡易操作で用紙挟装と、ホルダー閉じ状態保持を、同時に行う。
【発明の詳細な説明】
【技術分野】
【０００１】本発明はマグネットを用いた用紙ホルダーである。
【発明の概要】
【発明が解決しようとする課題】
【０００２】用紙保護に使用するケースやファイルブックの扱いにくさ。【０００３】ブックカバー状に開いたホルダー内に、用紙をセットしてカバーを閉じるだけで用紙を保護する為に、開閉口にＮ極とＳ極が向き合うようにマグネットを内蔵したバーを設けて、強い吸引力で用紙の挟装固定とホルダーの閉じ状態ロックを同時に行う。
【発明の効果】
【０００４】簡単操作で用紙の保護と携帯性の向上。
【図面の簡単な説明】
【０００５】
【図１】本発明の斜視図
【図２】マグネットＡ−Ａ部断面拡大図
【発明を実地するための形態】
【０００６】曲げ加工した樹脂板本体の入り口先端に取り付けた２本のバーに、Ｓ極とＮ極が向き合うようにマグネットを埋め込み、吸引力でホルダー入り口バーが閉じながら、同時に用紙をホルダー内で挟装固定しで保護する。
【符号の説明】
【０００７】１  ホルダー本体
２  Ｓ極用紙側向きマグネット
３  Ｎ極用紙側向きマグネット
４  マグネット内蔵バー
５  マグネット内蔵バー
６  用紙
【図１】
2019151086.tif 000003
【図２】
2019151086.tif 000004
(57)【要約】      （修正有）【課題】漁業底引き網等の引き綱ロープ、蛤貝魚類の捕獲の使用ロープで知られるＰＰ糸ロープについて、磨耗強化したロープを提供する。【解決手段】軽いＰＰ糸ロープをＰＰ樹脂付極カタ撚りヤーン１とエステル糸又はナイロン糸等使用のエステル樹脂付極カタ撚りヤーン２をロープストランの表面に構成配列して磨耗の強化、芯にＰＰ極甘撚りヤーン３を適量投入して本体ロープを軽くし、磨耗強化、破断力強化した混合ロープ。【選択図】図１
2019151961.tif 000002
【特許請求の範囲】
【請求項１】
ポリプロピレン（ＰＰと略）ダンラインタイプ糸又はＰＰ雑色テープ等を使用してのＰＰ樹脂付極カタ撚りヤーン（１）とエステル糸又はナイロン糸等使用のエステル樹脂付極カタ撚りヤーン（２）の様にヤーンに樹脂付着乾燥ヤーンの構成。
【請求項２】
本案ロープストランの中芯にＰＰ極甘撚りヤーン（３）を適量に投入して本体ロープを軽く仕上げる  と共に破断力強化を得る目的のＰＰ極甘撚りヤーン（３）をストランの芯に投入しての効果でロープ２００ｍ１丸を軽く破断力強化の製綱の構成。
極甘撚りの意は  ヤーン１ｍ間に２〜５回の撚り回数少の意です、極カタ撚りの意は撚り回数を極限まで入れた意です）
【発明の詳細な説明】
【技術分野】
【０００１】          ポリプロピレ（略ＰＰ）エステル混合ロープに関する
【背景技術】
【０００２】従来からポリプロピレン（ダンライン）タイプ糸（以下ＰＰ糸ロープと略）で製綱が主流で漁業底引き網  マンガ等の引き綱  ロープで蛤貝魚類の捕獲の使用ロープで知られる。
【発明の概要】
【発明が解決しようとする課題】
【０００４】軽いＰＰ糸ロープは紫外線に磨耗に、エステル、ナイロン糸ロープと比べ弱く、磨耗に強いエステル  ナイロン糸ロープは重く沈み作業上不都合に付き軽く浮くＰＰ糸ロープを磨耗強化しての要求が多々有り課題  解決案。
【課題を解決するための手段】
【０００５】本案は磨耗強化を得るためにロープストランの表面に配列ヤーンは撚り回数を極限まで入れ、そのヤーンにゴム系樹脂を付着したＰＰ樹脂付極カタ撚りヤーン（１）とエステル樹脂付極カタ撚りヤーン（２）を図示の如くロープストランの表面に交互に配列した中芯へ本体ロープを軽く、破断力強化の目的にＰＰ極甘撚りヤーン（３）を適数本、芯へ投入して成る、軽く破断力、磨耗強化ロープ。
【発明の効果】
【０００６】本案の課題は軽いロープに磨耗強化の課題に有り、〔０００５〕に示すＰＰ樹脂付極カタ撚りヤーン（Ｉ）とＰＰ極甘撚りヤーン（３）の磨耗の格差はＰＰ極甘撚りヤーン（３）の磨耗強化度１００に対しＰＰ樹脂付カタ撚りヤーン（Ｉ）の磨耗強化度１３０〜４０。とＰＰ樹脂付極カタ撚りヤーン（Ｉ）は３割から４割も磨耗強化で成る事は自社試験で確認に付き、エステル樹脂付極カタ撚りヤーン（２）の磨耗強化度は２００以上と予想。、ＰＰ極甘撚りヤーン（３）をロープストランの芯に適数本投入して、本体ロープを軽く、破断力強化の目的は自然科学法則の理に合い本体ロープを軽く破断力強化ロープの実現で、漁業船操業効率アップに貢献。
【図面の簡単な説明】
【０００７】
【図１】磨耗強化ロープの斜視図  ＰＰ樹脂付極カタ撚りヤーン（１）  エステル樹脂付極カタ撚りヤーン（２）  ＰＰ極甘撚りヤーン（３）
【発明を実施するための形態】
【０００８】前記〔０００４〕〔０００５〕の説明と図示の如くストラン、ロープ表面にＰＰ樹脂付極カタ撚りヤーン（Ｉ）とエステル樹脂付極カタ撚りヤーン（２）の交互配列で樹脂付極カタ撚りヤーン構成の磨耗強化の効果に、ＰＰ極甘撚りヤーン（３）をストラン芯へ適数本  投入で軽く浮き破断力強化効果で本案ロープは  軽く浮き破断力強化、磨耗強化ロープの使用効果は作業性  経済性の向上。
【符号の説明】
【０００９】ＰＰ樹脂付極カタ撚りヤーン（Ｉ）          エステル樹脂付極カタ撚りヤーン（２）
ＰＰ極甘撚りヤーン（３）
【図１】
2019151961.tif 000003
(57)【要約】【課題】従来、溶融炉、溶融炉を用いた金属精錬方法において、蒸気を使った溶融方法は容易ではなかった。【解決方法】本来、高温蒸気だけでは酸化金属の還元反応は容易でなかったが、この１３８℃の蒸気に酸素濃度０．２％以下、水素濃度０．５％以上の雰囲気と炭素、もしくは一酸化炭素を入れることにより、酸化金属が還元され、金属として精錬することができる。【特許請求の範囲】
【請求項１】
水を１３８℃の蒸気とし、その蒸気に酸素濃度０．２％以下、水素濃度０．５％以上の気体を用いて、さらに炭素（固定炭素）もしくは一酸化炭素ガスを添加することによって、酸化金属の還元を促進し、金属精錬を行う方法。
【発明の詳細な説明】
【技術分野】
【０００１】  水を１３８℃の蒸気とし、その蒸気に酸素濃度０．２％以下、水素濃度０．５％以上の気体を用いて、さらに炭素（固定炭素）もしくは一酸化炭素ガスを添加することによって、酸化金属の還元を促進し、金属精錬を行う方法。
【背景技術】
【０００３】  これまで、金属を溶融する場合、電気炉や溶融炉による溶融方法が主流であった。しかし、近年の電気代の高騰や環境問題の観点から容易に酸化金属を還元して金属にする検討がなされてきた。
【発明が解決しようとする課題】
【０００４】  従来の技術では、高温の蒸気では酸化金属を還元することはではなかった。
【課題を解決するための手段】
【０００５】  １３８℃の蒸気に酸素濃度０．２％以下、水素濃度０．５％以上と炭素（固体炭素）もしくは一酸化炭素を入れ、その中に酸化金属を入れることにより、還元反応が促進する。